(57)【要約】  ダウンリンクにおけるページング機会などのモニタリング機会のための、コンピュータプログラム製品を含む方法及び装置を提供する。いくつかの実施形態では、少なくとも１つのプロセッサと、コンピュータプログラムコードを含む少なくとも１つのメモリとを含む装置であって、少なくとも１つのメモリ及びコンピュータプログラムコードが、少なくとも１つのプロセッサと協働して、装置に少なくとも、フレームの少なくとも一部における１又は２以上のページング機会の開始を示す情報を受け取り、受け取った情報に従って１又は２以上のページング機会をモニタすることを行わせるように構成された装置を提供することができる。関連するシステム、方法及び製造の物品についても説明する。【選択図】図５
2021523633.tif 000002
【特許請求の範囲】
【請求項１】
少なくとも１つのプロセッサと、
コンピュータプログラムコードを含む少なくとも１つのメモリと、
を備えた装置であって、前記少なくとも１つのメモリ及び前記コンピュータプログラムコードは、前記少なくとも１つのプロセッサと協働して、前記装置に少なくとも、
フレームの少なくとも一部における１又は２以上のページング機会の開始を示す情報を受け取り、
前記受け取った情報に従って前記１又は２以上のページング機会をモニタする、
ことを行わせるように構成される、
ことを特徴とする装置。
【請求項２】
前記情報は、サブフレームの少なくとも一部における前記１又は２以上のページング機会の前記開始を示すビットマップを含む、
請求項１に記載の装置。
【請求項３】
前記ビットマップは、前記１又は２以上のページング機会の前記開始を示す、
請求項１に記載の装置。
【請求項４】
前記ビットマップのビット長は、使用されるサブキャリア間隔に依存する、
請求項２又は３に記載の装置。
【請求項５】
前記ビットマップは、前記１又は２以上のページング機会の開始スロットを示す、
請求項２から４のいずれかに記載の装置。
【請求項６】
前記ビットマップは、ページングフレーム内の各スロットを示す、
請求項２から５のいずれかに記載の装置。
【請求項７】
前記ビットマップは、アップリンク−ダウンリンクパターン及び／又はアップリンク−ダウンリンク連結パターンのサブフレーム、フレーム内の各スロットを示す、
請求項２から５のいずれかに記載の装置。
【請求項８】
前記１又は２以上のページング機会は、１又は２以上のＰＤＣＣＨモニタリング機会を含む、
請求項１から７のいずれかに記載の装置。
【請求項９】
前記装置は、ユーザ装置を含み、又は該ユーザ装置に含まれる、
請求項１から８のいずれかに記載の装置。
【請求項１０】
ユーザ装置が、フレームの少なくとも一部における１又は２以上のページング機会の開始を示す情報を受け取るステップと、
前記ユーザ装置が、前記受け取った情報に従って前記１又は２以上のページング機会をモニタするステップと、
を含むことを特徴とする方法。
【請求項１１】
前記情報は、サブフレームの少なくとも一部における前記１又は２以上のページング機会の前記開始を示すビットマップを含む、
請求項１０に記載の方法。
【請求項１２】
前記ビットマップは、前記１又は２以上のページング機会の前記開始を示す、
請求項１０に記載の方法。
【請求項１３】
前記ビットマップのビット長は、使用されるサブキャリア間隔に依存する、
請求項１１又は１２に記載の方法。
【請求項１４】
前記ビットマップは、前記１又は２以上のページング機会の開始スロットを示す、
請求項１１から１３のいずれかに記載の方法。
【請求項１５】
前記ビットマップは、ページングフレーム内の各スロットを示す、
請求項１１から１４のいずれかに記載の方法。
【請求項１６】
前記ビットマップは、アップリンク−ダウンリンクパターン及び／又はアップリンク−ダウンリンク連結パターンのサブフレーム、フレーム内の各スロットを示す、
請求項１１から１５のいずれかに記載の方法。
【請求項１７】
物理ダウンリンク制御チャネル構成が、前記１又は２以上のページング機会の前記開始を示す前記情報を含む、
請求項１０から１６のいずれかに記載の方法。
【請求項１８】
プログラムコードを含む非一時的コンピュータ可読媒体であって、前記プログラムコードは、実行時に、
ユーザ装置が、フレームの少なくとも一部における１又は２以上のページング機会の開始を示す情報を受け取るステップと、
前記ユーザ装置が、前記受け取った情報に従って前記１又は２以上のページング機会をモニタするステップと、
を含む動作を引き起こす、
ことを特徴とする非一時的コンピュータ可読媒体。
【請求項１９】
フレームの少なくとも一部における１又は２以上のページング機会の開始を示す情報を受け取る手段と、
前記受け取った情報に従って前記１又は２以上のページング機会をモニタする手段と、
を備えることを特徴とする装置。
【請求項２０】
請求項１１から１７に記載の機能のうちのいずれかのための手段を提供するようにさらに構成される、
請求項１９に記載の装置。
【請求項２１】
少なくとも１つのプロセッサと、
コンピュータプログラムコードを含む少なくとも１つのメモリと、
を備えた装置であって、前記少なくとも１つのメモリ及び前記コンピュータプログラムコードは、前記少なくとも１つのプロセッサと協働して、前記装置に少なくとも、
フレームの少なくとも一部における１又は２以上のページング機会の開始を示す情報をユーザ装置に送信し、
前記送信した情報に従って１又は２以上のページング機会をトリガする、
ことを行わせるように構成される、
ことを特徴とする装置。
【請求項２２】
前記情報は、サブフレームの少なくとも一部における前記１又は２以上のページング機会の前記開始を示すビットマップを含む、
請求項２１に記載の装置。
【請求項２３】
前記ビットマップは、前記１又は２以上のページング機会の前記開始を示す、
請求項２１に記載の装置。
【請求項２４】
前記ビットマップのビット長は、使用されるサブキャリア間隔に依存する、
請求項２２又は２３に記載の装置。
【請求項２５】
前記ビットマップは、前記１又は２以上のページング機会の開始スロットを示す、
請求項２２から２４のいずれかに記載の装置。
【請求項２６】
前記ビットマップは、ページングフレーム内の各スロットを示す、
請求項２２から２５のいずれかに記載の装置。
【請求項２７】
前記ビットマップは、アップリンク−ダウンリンクパターン及び／又はアップリンク−ダウンリンク連結パターンのサブフレーム、フレーム内の各スロットを示す、
請求項２２から２５のいずれかに記載の装置。
【請求項２８】
物理ダウンリンク制御チャネル構成が、前記１又は２以上のページング機会の前記開始を示す前記情報を含む、
請求項２１から２７のいずれかに記載の装置。
【請求項２９】
前記トリガされた１又は２以上のページング機会は、前記装置に少なくとも、１又は２以上のページング機会の前記開始を示す前記情報を介して前記ユーザ装置に前記１又は２以上のページング機会を提供することさらに行わせる、
請求項２１から２８のいずれかに記載の装置。
【請求項３０】
前記装置は、ネットワークノードを含み、又は該ネットワークノードに含まれる、
請求項２１から２８のいずれかに記載の装置。
【請求項３１】
フレームの少なくとも一部における１又は２以上のページング機会の開始を示す情報をユーザ装置に送信するステップと、
前記送信した情報に従ってネットワークノードが１又は２以上のページング機会をトリガするステップと、
を含むことを特徴とする方法。
【請求項３２】
前記情報は、サブフレームの少なくとも一部における前記１又は２以上のページング機会の前記開始を示すビットマップを含む、
請求項３１に記載の方法。
【請求項３３】
前記ビットマップは、前記１又は２以上のページング機会の前記開始を示す、
請求項３１に記載の方法。
【請求項３４】
前記ビットマップのビット長は、使用されるサブキャリア間隔に依存する、
請求項３２又は３３に記載の方法。
【請求項３５】
前記ビットマップは、前記１又は２以上のページング機会の開始スロットを示す、
請求項３２から３４のいずれかに記載の方法。
【請求項３６】
前記ビットマップは、ページングフレーム内の各スロットを示す、
請求項３２から３５のいずれかに記載の方法。
【請求項３７】
前記ビットマップは、アップリンク−ダウンリンクパターン及び／又はアップリンク−ダウンリンク連結パターンのサブフレーム、フレーム内の各スロットを示す、
請求項３２から３５のいずれかに記載の方法。
【請求項３８】
物理ダウンリンク制御チャネル構成が、前記１又は２以上のページング機会の前記開始を示す前記情報を含む、
請求項３１から３７のいずれかに記載の方法。
【請求項３９】
前記トリガするステップは、１又は２以上のページング機会の前記開始を示す前記情報を介して前記ユーザ装置に前記１又は２以上のページング機会を提供するステップを含む、
請求項３１から３８のいずれかに記載の方法。
【請求項４０】
プログラムコードを含む非一時的コンピュータ可読媒体であって、前記プログラムコードは、実行時に、
フレームの少なくとも一部における１又は２以上のページング機会の開始を示す情報をユーザ装置に送信するステップと、
前記送信した情報に従ってネットワークノードが１又は２以上のページング機会をトリガするステップと、
を含む動作を引き起こす、
ことを特徴とする非一時的コンピュータ可読媒体。
【請求項４１】
フレームの少なくとも一部における１又は２以上のページング機会の開始を示す情報をユーザ装置に送信する手段と、
前記送信した情報に従って１又は２以上のページング機会をトリガする手段と、
を備えることを特徴とする装置。
【請求項４２】
請求項３２から３９に記載の機能のうちのいずれかのための手段を提供するようにさらに構成される、
請求項４１に記載の装置。
【発明の詳細な説明】
【技術分野】
【０００１】
〔相互参照〕
本出願は、２０１８年５月１１日に出願された「ページング機会の開始決定（Ｐａｇｉｎｇ  Ｏｃｃａｓｉｏｎ  Ｓｔａｒｔ  Ｄｅｔｅｒｍｉｎａｔｉｏｎ）」という名称の米国仮特許出願第６２／６７０，３５４号の利益を主張するものであり、この文献の内容はその全体が引用により本明細書に組み入れられる。
【０００２】
本明細書で説明する主題は、無線システムにおけるページングに関する。
【背景技術】
【０００３】
第５世代（５Ｇ）システムを含むセルラーシステムは、使用事例が幅広く、帯域幅、待ち時間及び信頼性要件に関するニーズが多岐にわたる用途を含むますます多くの装置及びサービスをサポートすることができる。例えば、スループット／データレートを高めるために、多重入出力技術を使用することができる。機械間通信（ｍａｃｈｉｎｅ−ｔｏ−ｍａｃｈｉｎｅ  ｃｏｍｍｕｎｉｃａｔｉｏｎｓ）及び超高信頼かつ低遅延なサービスをサポートするようにシステムを構成することもできる。
【発明の概要】
【発明が解決しようとする課題】
【０００４】
ダウンリンクにおけるページング機会などの機会をモニタするための、コンピュータプログラム製品を含む方法及び装置を提供する。
【課題を解決するための手段】
【０００５】
いくつかの実施形態では、少なくとも１つのプロセッサと、コンピュータプログラムコードを含む少なくとも１つのメモリとを含む装置であって、少なくとも１つのメモリ及びコンピュータプログラムコードが、少なくとも１つのプロセッサと協働して、装置に少なくとも、フレームの少なくとも一部における１又は２以上のページング機会の開始を示す情報を受け取り、受け取った情報に従って１又は２以上のページング機会をモニタすることを行わせるように構成された装置を提供することができる。
【０００６】
いくつかの変形形態では、本明細書に開示する以下の特徴を含む特徴のうちの１つ又は２つ以上をいずれかの実行可能な組み合わせで任意に含めることができる。情報は、サブフレームの少なくとも一部における１又は２以上のページング機会の開始を示すビットマップを含むことができる。ビットマップは、１又は２以上のページング機会の開始を示すことができる。ビットマップのビット長は、使用されるサブキャリア間隔に依存することができる。ビットマップは、１又は２以上のページング機会の開始スロットを示すことができる。ビットマップは、ページングフレーム内の各スロットを示すことができる。ビットマップは、アップリンク−ダウンリンクパターン及び／又はアップリンク−ダウンリンク連結パターンのサブフレーム、フレーム内の各スロットを示すことができる。物理ダウンリンク制御チャネル構成が、１又は２以上のページング機会の開始を示す情報を含むことができる。装置は、ユーザ装置を含むことができ、又はユーザ装置に含めることができる。
【０００７】
いくつかのさらなる実施形態では、少なくとも１つのプロセッサと、コンピュータプログラムコードを含む少なくとも１つのメモリとを含む装置であって、少なくとも１つのメモリ及びコンピュータプログラムコードが、少なくとも１つのプロセッサと協働して、装置に少なくとも、フレームの少なくとも一部における１又は２以上のページング機会の開始を示す情報をユーザ装置に送信し、送信した情報に従って１又は２以上のページング機会をトリガすることを行わせるように構成された装置を提供することができる。
【０００８】
いくつかの変形形態では、本明細書に開示する以下の特徴を含む特徴のうちの１つ又は２つ以上をいずれかの実行可能な組み合わせで任意に含めることができる。情報は、サブフレームの少なくとも一部における１又は２以上のページング機会の開始を示すビットマップを含むことができる。ビットマップは、１又は２以上のページング機会の開始を示すことができる。ビットマップのビット長は、使用されるサブキャリア間隔に依存することができる。ビットマップは、１又は２以上のページング機会の開始スロットを示すことができる。ビットマップは、ページングフレーム内の各スロットを示すことができる。ビットマップは、アップリンク−ダウンリンクパターン及び／又はアップリンク−ダウンリンク連結パターンのサブフレーム、フレーム内の各スロットを示すことができる。物理ダウンリンク制御チャネル構成が、１又は２以上のページング機会の開始を示す情報を含むことができる。トリガされた１又は２以上のページング機会は、装置に少なくとも、１又は２以上のページング機会の開始を示す情報を介してユーザ装置に１又は２以上のページング機会を提供することさらに行わせることができる。装置は、ネットワークノードを含むことができ、又はネットワークノードに含めることができる。
【０００９】
上述した態様及び特徴は、所望の構成に応じてシステム、装置、方法及び／又は物品に実装することができる。以下の添付図面及び説明に、本明細書で説明する主題の１又は２以上の変形形態の詳細を示す。これらの説明及び図面、並びに特許請求の範囲から、本明細書で説明する主題の特徴及び利点が明らかになるであろう。
【図面の簡単な説明】
【００１０】
【図１】いくつかの実施形態例によるビットマップの例を示す図である。
【図２】いくつかの実施形態例によるビットマップの例を示す図である。
【図３】いくつかの実施形態例によるビットマップの例を示す図である。
【図４】いくつかの実施形態例による、サブフレーム内のページング機会を明確に示す情報を受け取るユーザ装置を含むシステムの例を示す図である。
【図５】いくつかの実施形態例による、サブフレーム内のページング機会を明確に示す情報を決定して提供するプロセス例を示す図である。
【図６】いくつかの実施形態例による装置の例を示す図である。
【図７】いくつかの実施形態例によるブロック候補位置パターンを示す図である。
【図８】いくつかの実施形態例による物理ダウンリンク制御チャネル上の探索空間例を示す図である。
【発明を実施するための形態】
【００１１】
図面では、同じラベルを使用して同一又は同様の項目を示す。
【００１２】
第５世代（５Ｇ）セルラーシステムを含むセルラーシステムでは、従前のセルラーシステムと比べた時に、例えば多重入出力技術（ＭＩＭＯ）などの５Ｇの特徴の多くに起因してページングがより複雑になる。従って、ページング機会がいつ存在するかを特定してページをモニタするユーザ装置（ＵＥ）のタスクがより複雑である。
【００１３】
ページングでは、セルラーネットワークが、パラメータを含む情報をＵＥに提供することができる。これらのパラメータは、シグナリング、ブロードキャスト及び／又は同様のものを介して受け取ることができ、これらのパラメータは、フレーム内タイムオフセット、持続時間、周期性及び／又は同様のものなどのページング機会構成を含むことができる。さらに、物理ダウンリンク制御チャネル（ＰＤＣＣＨ）構成は、ページング機会内のモニタリング機会（ｍｏｎｉｔｏｒｉｎｇ  ｏｃｃａｓｉｏｎｓ）を含む探索空間構成（ｓｅａｒｃｈ  ｓｐａｃｅ  ｃｏｎｆｉｇｕｒａｔｉｏｎ）をＵＥに提供することができる。ページングでは、コアリソースセット（ＣＯＲＥＳＥＴ：ｃｏｒｅ  ｒｅｓｏｕｒｃｅ  ｓｅｔ）構成が、物理ブロードキャストチャネル（ＰＢＣＨ）において示される通りに残存最小システム情報（ＲＭＳＩ：ｒｅｍａｉｎｉｎｇ  ｍｉｎｉｍｕｍ  ｓｙｓｔｅｍ  ｉｎｆｏｒｍａｔｉｏｎ）ＣＯＲＥＳＥＴに同じ構成を再使用することができる。また、ＵＥは、同期信号（ＳＳ）ブロックと、ページングダウンリンク制御情報／インジケータ（ＤＣＩ）と、ページングメッセージとの間の疑似コロケーション（ＱＣＬ：ｑｕａｓｉ−ｃｏｌｏｃａｔｉｏｎ）を取ることができる。さらに、ＵＥは、１つのページング機会内で複数のページングＤＣＩをソフト結合（ｓｏｆｔ  ｃｏｍｂｉｎｅ）することが不要となり得る。さらに、ＵＥ及び基地局によるエアインターフェイスサポートは、ｓｙｓｔｅｍＩｎｆｏＭｏｄｉｆｉｃａｔｉｏｎ、ｃｍａｓ−Ｉｎｄｉｃａｔｉｏｎ及び／又はｅｔｗｓ−Ｉｎｄｉｃａｔｉｏｎなどのいわゆる「ショートページングメッセージ（ｓｈｏｒｔ  ｐａｇｉｎｇ  ｍｅｓｓａｇｅｓ）」をページングＤＣＩの一部として送信することもサポートすることができる。
【００１４】
上述したようなＭＩＭＯをサポートすることもでき、従ってマルチビーム動作がページングの複雑性を高めることがある。この目的のために、ページング機会の時間の長さ（例えば、持続時間）を１回のビーム掃引期間に設定し、掃引パターンの全てのビームにおいて同じページングメッセージを繰り返すことができる。従って、１回のページング機会がビーム掃引全体をカバーすることができ、従ってＵＥのモニタリングパターンも同様にこれを考慮することができる。
【００１５】
ＵＥは、ネットワークからＳＩＢタイプ１などのシステム情報ブロック（ＳＩＢ）を受け取ることができる。この場合、ＳＩＢ１は、アップリンク（ＵＬ）及びダウンリンク（ＤＬ）スロット構成を可能にするための情報をＵＥに提供することができる。例えば、ＵＬ／ＤＬスロット構成は、ＰＤＣＣＨが搬送するフレームのサブフレームを形成するように時間的に繰り返す１つ又は２つの連結スロットパターン（ｃｏｎｃａｔｅｎａｔｅｄ  ｓｌｏｔ  ｐａｔｔｅｒｎｓ）を介して決定することができる。各パターンの構成は、ＤＬシンボルのみを含むダウンリンクスロット（「Ｄ」）、ダウンリンクシンボル及びアップリンクシンボルの両方を可能にする双方向（例えば、フレキシブル、「Ｘ」）スロット、又はＵＬシンボルのみを含むアップリンク専用スロット（「Ｕ」）として定められるサブフレームのスロットを示す。スロットは、１又は２以上のシンボルを含むことができる。
【００１６】
パターンは、サブキャリア間隔に部分的に基づいてフレームのサブフレーム内のスロットの決定を可能にするように構成された期間を有することができる。各パターンの構成は、（期間の最初からの）ＤＬ専用スロットの量（例えば、数）、フレキシブルスロットの最初からのＤＬシンボルの量、（期間の最後からの）ＵＬ専用スロットの量、及びフレキシブルスロットの最後からのＵＬシンボルの量を提供することができる。ＤＬ専用スロットでもＵＬ専用スロットでもないものとして示されるスロットはフレキシブルスロットである。
【００１７】
さらに説明すると、ＵＥは、ダウンリンクでは、ＤＬシンボル（「Ｄ」）部分又はフレキシブルシンボル（「Ｘ」）部分でのみ受信を行うようにスケジュールすることができる。同様に、ＵＥは、ＵＬシンボル（「Ｕ」）部分又はフレキシブルシンボル（「Ｘ」）部分でのみ送信を行うようにスケジュールすることができる。（ＤＬ専用（「Ｄ」）スロット及びＵＬ専用（「Ｕ」）スロットの間の残りのスロットである）フレキシブルスロットでは、フレキシブルスロット内のシンボル分割（ｓｙｍｂｏｌ  ｐａｒｔｉｔｉｏｎ）を決定することができる。このシンボル分割は、（スロットの最初からの）ＤＬ専用シンボルの数及び（スロットの最後からの）ＵＬ専用シンボルの数を求めることによって決定できる一方で、これらの間の残りのシンボルはフレキシブルシンボルとみなすことができる。
【００１８】
３ＧＰＰ  ３８．２１３には、ランダムアクセスチャネル（ＲＡＣＨ）機会マッピングでは、ＵＥに第１の上位層パラメータ（例えば、ｔｄｄ−ＵＬ−ＤＬ−ｃｏｎｆｉｇｕｒａｔｉｏｎｃｏｍｍｏｎ）が提供される場合、或いは第２の上位層パラメータ（例えば、ｔｄｄ−ＵＬ−ＤＬ−ｃｏｎｆｉｇｕｒａｔｉｏｎｃｏｍｍｏｎ２）も提供される場合、有効な物理ＲＡＣＨ（ＰＲＡＣＨ）機会は、最後のダウンリンクシンボル又は最後のＳＳ／ＰＢＣＨブロック送信シンボルの少なくともＮgapシンボル後に開始するアップリンクシンボル又はフレキシブルシンボルを含む機会であると説明されており、ここでのＮgapを、以下の表１などの表にプリアンブルサブキャリア間隔値（ｐｒｅａｍｂｌｅ  ｓｕｂｃａｒｒｉｅｒ  ｓｐａｃｉｎｇ  ｖａｌｕｅ）の関数として示す。例えば、プリアンブルフォーマットＢ４では、Ｎgap＝０である。
【表１】
2021523633.tif 000003
【００１９】
物理ダウンリンク共有チャネル（ＰＤＳＣＨ）の時間領域リソース割り当て（ＲＡ）は、ＤＣＩの４ビットリソース割り当てフィールドを介して実行することができる。リソース割り当てフィールドのデフォルト解釈は、３ＧＰＰ  ＴＳ３８．２１４などの標準に従って決定することができるが、時間領域リソース割り当ては、新無線（ＮＲ）ノードＢ（ｇＮＢ）を含む基地局などのネットワークからブロードキャスト又は専用シグナリングを介してＵＥに提供し、ＵＥにおいて構成することができる。サポートされるＰＤＳＣＨ割り当てサイズは、タイプＡ一次同期チャネル（ＰＳＣＨ）マッピング（３、…、１４）、及びＰＤＳＣＨタイプＢ（サブスロットベースのスケジューリング）マッピング（２、４、又は７）のために構成することができる。このＰＤＳＣＨマッピングタイプは、３ＧＰＰ  ＴＳ３８．２１４などの標準に従うことができるＰＤＳＣＨ時間領域リソース割り当てによって提供することができる。
【００２０】
ロングタームエボリューション（ＬＴＥ）では、ページングフレーム（ＰＦ）計算が、無線フレーム内のどこでＵＥがページングをリスンする必要があるかを示す。ページング機会計算は、ＵＥが（ページングメッセージのためのリソースを割り当てるインジケータ／情報である）ページングＤＣＩをリスンすることを可能にするサブフレーム精度を有することができる。
【００２１】
５Ｇ新無線（ＮＲ）システムでは、フレーム構造に関する一定の時分割二重（ＴＤＤ）パターン及び一定の数秘術（ｎｕｍｅｒｏｌｏｇｙ）を実装する前世代の無線システムほどページング機会計算が容易でない場合がある。５Ｇ  ＮＲの数秘術では、データのためのサブキャリア間隔に１５ｋＨｚ、３０ｋＨｚ、６０ｋＨｚ及び１２０ｋＨｚの変動が存在することができ、これらの変動がスロット割り当てにも影響を与える。さらに、５Ｇ  ＮＲの（サブフレームのいずれかのスロットをダウンリンクスロット、アップリンクスロット又はフレキシブルスロットとして構成できる）フレキシブルＴＤＤパターンが、これまでのセルラーシステムと比べてページング機会の決定を複雑にする変動をもたらすこともある。実際に、ページング機会の決定は、正しく実行されなければ、不具合並びに電力及びリソースの無駄を引き起こす恐れがある。
【００２２】
いくつかの実施形態では、基地局、ＮＲ  ｇＮＢ基地局及び／又は同様のものなどのネットワークが、無線フレームのサブフレームのどのスロットがページング機会計算に利用されているかを明確に定める又は示す情報をＵＥに提供することができる。例えば、ＵＥが可能なページング機会の知識を得た後に、同じページングフレーム（ＰＦ）の異なるＰＯに異なるＵＥを分散させる計算が（ネットワークによって）行われる。この計算は、全てのＵＥが同じページング機会をリスンしないことを確実にするために行われる（例えば、そうでなければページングメッセージ内に非常に多くのＵＥアイデンティティが存在する必要があるため、ページングメッセージサイズが大きすぎて送信できなくなってしまう）。
【００２３】
いくつかの実施形態では、基地局、ｇＮＢ及び／又は同様のものなどのネットワークが、どのスロットがＰＯ計算に利用されているかを示すビットマップをＵＥに提供することができる。例えば、１２０ｋＨｚのサブキャリア間隔及び２０ミリ秒（ｍｓ）の集約周期性（ａｇｇｒｅｇａｔｅ  ｐｅｒｉｏｄｉｃｉｔｙ）の準静的ＵＬ／ＤＬ構成を仮定すると、ＵＬ／ＤＬ  ＴＤＤスロットパターンの反復を含むパターン全体をカバーするには、ビットマップを１６０ビットの長さ（例えば、２０ｍｓの期間内に１２０ｋＨｚのサブキャリア間隔で１６０個のスロット）にすることができる。
【００２４】
これとは別に、又はこれに加えて、いくつかの実施形態例によれば、ビットマップは、使用されるサブキャリア間隔に依存することもできる（例えば、１５ｋＨｚのサブキャリア間隔では、ビットマップはたったの２０ビットである）。例えば、異なるサブキャリア間隔（ＳＣＳ）では、期間全体をカバーするために異なるサイズのビットマップが必要になり、従って１２０ｋＨｚのＳＣＳビットマップは長さが１６０ビットになり得るのに対し、（１ｍｓのスロット長での）１５ｋＨｚのサブキャリア間隔は、期間全体をカバーするための長さがたったの２０ビットになる。従って、ＵＥには、ＵＥが使用しているＳＣＳに基づいて異なるビットマップが提供される。
【００２５】
これとは別に、又はこれに加えて、いくつかの実施形態例によれば、ネットワークは、反復的ＴＤＤ  ＵＬ／ＤＬ構成をカバーするビットマップのみを必要とするために、完全なＴＤＤ構成を取得するように構成されたＴＤＤ構成（ＴＤＤ−ＵＬ−ＤＬ−ＣｏｎｆｉｇＣｏｍｍｏｎ１及び２の連結）を使用することができる。例えば、ＴＤＤ構成の反復は、掃引期間全体をカバーするために０．５ｍｓスロットで最大２０ｍｓ（１０ｍｓ＋１０ｍｓ）とすることができ、この場合、ビットマップは４０ビットのビットマップに対応する。このビットマップ長は、サブキャリア間隔及びＴＤＤ構成の長さに基づいて最適化することができる（例えば、１ｍｓのスロット及び１０ｍｓのＴＤＤ構成の場合には１０ビットのビットマップを使用することができる）。さらに説明すると、ネットワークは、ＳＣＳ及び既知のＴＤＤパターン長に基づいてＵＥにビットマップを提供する（例えば、１５ｋＨｚ、１ｍｓのスロット及び１０ｍｓの期間のＴＤＤパターンでは、ＵＥに１０ビットのビットマップが提供されるのに対し、１２０ｋＨｚ、０．１２５ｍｓ及び１０ｍｓの期間のＴＤＤパターンの場合には、ＵＥに８０ビットのビットマップが提供される）。
【００２６】
これとは別に、又はこれに加えて、ネットワークは、ページングフレームの持続時間（例えば、１０ｍｓ）がＵＬ−ＤＬ構成の長さ（又は期間）に対応するブロックに分割されるように構成されたＴＤＤ構成（完全なＴＤＤ構成を取得するためのＴＤＤ−ＵＬ−ＤＬ−ＣｏｎｆｉｇＣｏｍｍｏｎ１及び２の連結）を使用することもできる。一方で、ビットマップは、ページングフレーム内のページング機会の開始位置を（ＵＬ／ＤＬパターンの最初に整列するように）示すために使用される。例えば、以下の方程式によって、（ページングフレーム内の）可能なページング機会開始位置の量（又は数）を求めることができ、
【数１】
2021523633.tif 000004
方程式１
ここでの
2021523633.tif 000005
は、ページングフレームの長さ（例えば、１０ｍｓ）であり、
2021523633.tif 000006
は、単一のＵＬ−ＤＬスロットパターンの長さ（例えば、０．５ｍｓ）、又はビーム掃引の期間全体にわたって繰り返すことができる連結パターンの長さである。
2021523633.tif 000007
は、必要なビット量を決定することができる（例えば、１０ｍｓのページングフレーム及び０．５ｍｓの最小ＵＬ−ＤＬスロット構成長さを仮定すると、結果として得られるビットマップは２０ビットである）。
【００２７】
これとは別に、又はこれに加えて、ネットワークは、ＵＬ／ＤＬ構成期間内に複数のページング機会開始位置を含むことができるビットマップを決定することもでき、この場合、ビットマップ内の各「１」が、ページングフレーム内のページング機会の開始位置に対応することができる。
【００２８】
これとは別に、又はこれに加えて、ネットワークは、ページングフレーム内のページング機会に使用されるｎ番目の可能な（単複の）スロットをＵＥに伝えることもできる。説明すると、基地局などのネットワークは、ページングに使用される１番目及び３番目の可能なスロットをＵＥに伝えることができる。この場合、ＵＥは、ＴＤＤ  ＵＬ／ＤＬパターンを把握しており、対応するページングフレームでは（ＤＬスロット又は双方向スロットＸとすることができる）３番目のスロットをページングスロットとして取り扱い、後続する１０番目のスロットなどをページング機会として取り扱うべきであることが分かる。この例では、ＴＤＤパターンが１０ｍｓによって分割可能であり、異なるページングフレームでは異なるスロットがＤＬ／ＵＬであると想定する。
【００２９】
これとは別に、又はこれに加えて、ページング機会の持続時間は、ＵＬ−ＤＬスロットパターン期間又は連結ＵＬ−ＤＬスロットパターン期間の一方又は両方となるように決定することもでき、期間の数を決定する要因は、仕様を通じて決定し、又は上位層信号によって提供し、及び／又は使用されるサブキャリア間隔、ページングフレームの長さ及び／又はＵＬ−ＤＬスロットパターンの期間及び／又は同様のものなどの他のパラメータに依存することができる。
【００３０】
これとは別に、又はこれに加えて、ページングフレームの持続時間は、複数のＵＬ−ＤＬスロットパターン期間又は連結ＵＬ−ＤＬスロットパターン期間の複数の１つとなるように決定することもでき、期間の数を決定する要因は、仕様を通じて決定し、又は上位層信号によって提供し、及び／又は使用されるサブキャリア間隔、ページングフレーム内のページング機会の数及び／又は同様のものなどの他のパラメータに依存することができる。
【００３１】
いくつかの実施形態例によれば、上述したビットマップ実装のうちの１つ又は２つ以上を組み合わせてビットマップを提供することもできる。
【００３２】
図１に、いくつかの実施形態例によるページング機会ビットマップ１０５の例を示す。ビットマップ１０５は、「１」で表すページング機会開始位置を示す。この例では、ページング機会の開始位置が、連結ＵＬ−ＤＬパターン１１０の開始点である。この例では、ページングフレーム（ＰＦ）の開始が１０ミリ秒（ｍｓ）の長さであり、連結ＵＬ−ＤＬパターン１１０が２．５ｍｓの長さであり、従ってページング機会は、ページングフレーム内で連結ＵＬ−ＤＬパターン１１０開始時及び第３の連結ＵＬ−ＤＬパターン１１０の開始時の２回発生する。このように、このビットマップは、ユーザ装置がページング機会を計算することを可能にする。
【００３３】
図２に、いくつかの実施形態例による別のページング機会ビットマップ２０５の例を示す。ビットマップ２０５は、「１」で表すページング機会開始位置を示す。この例では、ページング機会の開始位置が、連結ＵＬ−ＤＬパターン２１０の開始点である。この例では、ページングフレーム（ＰＦ）が１０ミリ秒（ｍｓ）の長さである。連結ＵＬ−ＤＬパターン２１０は２．５ｍｓの長さである。図１とは違ってスロットは０．１２５ｍｓであり、従ってＵＬ−ＤＬパターン１は１．２５ｍｓの期間を有し、ＵＬ−ＤＬパターン２も１．２５ｍｓの期間を有する。一方で、図１と同様に、図２のビットマップ２０５は、ページフレーム内の連結ＵＬ−ＤＬパターン２１０の開始時及びページングフレーム内の第３の連結ＵＬ−ＤＬパターン２１０の開始時にページング機会を定める。
【００３４】
図３に、いくつかの実施形態例による別のページング機会ビットマップ３０５の例を示す。ビットマップ３０５は、「１」で表す（単複の）ページング機会開始位置を示す。この例では、「１」が連結パターンにおける各パターンの開始位置を示す。例えば、ビットマップ内の値「１」は、ＵＬ−ＤＬパターン２の開始がページング機会であることを示す。この例では、ページングフレーム（ＰＦ）が１０ミリ秒（ｍｓ）の長さであり、連結ＵＬ−ＤＬパターン２１０が１０ｍｓの長さであり、スロットが０．５ｍｓである。
【００３５】
図４に、いくつかの実施形態例による、少なくとも１つのユーザ装置４１０と少なくとも１つの基地局４５０とを含む無線システム４００の一部の例を示す。
【００３６】
ＵＥ４１０は、５Ｇ  ｇＮＢ基地局と呼ぶことができる基地局４５０などの無線アクセスポイントによってサービスを提供される無線アクセスネットワークに無線で結合するように構成することができる。基地局４５０は、フレーム内のページング機会の開始を明確に示す情報４６０をＵＥ４１０に提供することができる。例えば、情報４６０は、フレーム内のサブフレームにおけるページング機会の開始をＵＥ４１０に明確に示すビットマップを含むことができる。上記の図１〜図３は、ページング機会の開始をＵＥ４１０に伝えるビットマップ１０５〜３０５の例を説明したものである。ＵＥ４１０は、情報４６０を受け取ると、ページング機会をモニタすることをいつ基地局４５０から選択できるかを知ることができる。
【００３７】
基地局４５０は、アクセス及びモビリティ管理機能（ＡＭＦ：ａｃｃｅｓｓ  ａｎｄ  ｍｏｂｉｌｉｔｙ  ｍａｎａｇｅｍｅｎｔ  ｆｕｎｃｔｉｏｎ）、訪問セッション管理機能（Ｖ−ＳＭＦ：ｖｉｓｉｔｉｎｇ  ｓｅｓｓｉｏｎ  ｍａｎａｇｅｍｅｎｔ  ｆｕｎｃｔｉｏｎ）、訪問ポリシー制御機能（Ｖ−ＰＣＦ：ｖｉｓｉｔｉｎｇ  ｐｏｌｉｃｙ  ｃｏｎｔｒｏｌ  ｆｕｎｃｔｉｏｎ）、訪問ネットワークスライス選択機能（Ｖ−ＮＳＳＦ：ｖｉｓｉｔｉｎｇ  ｎｅｔｗｏｒｋ  ｓｌｉｃｅ  ｓｅｌｅｃｔｉｏｎ  ｆｕｎｃｔｉｏｎ）、訪問ユーザプレーン機能（Ｖ−ＵＰＦ：ｖｉｓｉｔｉｎｇ  ｕｓｅｒ  ｐｌａｎｅ  ｆｕｎｃｔｉｏｎ）、及び／又はその他のノードも同様に含むことができるコアネットワークに結合することができる。
【００３８】
図５に、いくつかの実施形態例による、新無線フレーム内のページング機会の開始に関する明確な情報をユーザ装置に提供するプロセス５００の例を示す。
【００３９】
いくつかの実施形態例によれば、５１０において、基地局４５０などのネットワークノードが、フレーム内の明確なページング機会を示す情報を決定することができる。例えば、ネットワークノードは、この情報をビットマップ１０５〜３０５などのビットマップとして決定することができる。このビットマップは、ＵＥ４１０がフレーム内のどこでページング機会をリスン／モニタし始めるべきであるかを示す。
【００４０】
いくつかの実施形態例によれば、５１５において、基地局４５０などのネットワークノードは、フレーム内の明確なページング機会を示すビットマップなどの情報を提供することができる。例えば、ネットワークノードは、ＳＩＢ２などのシステム情報ブロックを介してビットマップ１０５〜３０５などのビットマップをＵＥ４１０に提供することができる。
【００４１】
いくつかの実施形態例によれば、５２０において、ユーザ装置４１０は、フレーム内の明確なページング機会を示すビットマップなどの情報を受け取ることができる。例えば、ユーザ装置は、ＳＩＢ２などのシステム情報ブロックを介してビットマップなどの情報を受け取ることができる。
【００４２】
いくつかの実施形態例によれば、５４０において、ＵＥ４１０は、５２０において受け取った情報に従ってページング機会をモニタすることができる。再び図２を参照すると、ＵＥは、５２０において受け取ったビットマップ２０５に基づいて、ページングフレーム内の連結ＵＬ−ＤＬパターン２１０の開始時、及びページングフレーム内の連結ＵＬ−ＤＬパターン２１０の第３の発生の開始時にページング機会をモニタすることができる。
【００４３】
いくつかの実施形態では、ユーザ装置を、フレームの少なくとも一部における１又は２以上のページング機会の開始を示す情報を少なくとも受け取り、受け取った情報に従って１又は２以上のページング機会をモニタするように構成することができる。この情報は、サブフレームの少なくとも一部における１又は２以上のページング機会の開始を示すビットマップを含むことができる。ビットマップは、１又は２以上のページング機会の開始を示すことができる。ビットマップのビット長は、使用されるサブキャリア間隔に依存することができる。ビットマップは、１又は２以上のページング機会の開始スロットを示すことができる。ビットマップは、ページングフレーム内の各スロットを示すことができる。ビットマップは、アップリンク−ダウンリンクパターン及び／又はアップリンク−ダウンリンク連結パターンのサブフレーム、フレーム内の各スロットを示すことができる。物理ダウンリンク制御チャネル構成は、１又は２以上のページング機会の開始を示す情報を含むことができる。
【００４４】
いくつかのさらなる実施形態では、ネットワークノード（例えば、基地局、５Ｇ  ｇＮＢなど）を、フレームの少なくとも一部における１又は２以上のページング機会の開始を示す情報をユーザ装置に少なくとも送信し、送信した情報に従って１又は２以上のページング機会をトリガするように構成することができる。この情報は、サブフレームの少なくとも一部における１又は２以上のページング機会の開始を示すビットマップを含むことができる。ビットマップは、１又は２以上のページング機会の開始を示すことができる。ビットマップのビット長は、使用されるサブキャリア間隔に依存することができる。ビットマップは、１又は２以上のページング機会の開始スロットを示すことができる。ビットマップは、ページングフレーム内の各スロットを示すことができる。ビットマップは、アップリンク−ダウンリンクパターン及び／又はアップリンク−ダウンリンク連結パターンのサブフレーム、フレーム内の各スロットを示すことができる。物理ダウンリンク制御チャネル構成は、１又は２以上のページング機会の開始を示す情報を含むことができる。トリガされた１又は２以上のページング機会は、１又は２以上のページング機会の開始を示す情報を介してユーザ装置に１又は２以上のページング機会を少なくとも提供することを装置にさらに行わせることができる。装置は、ネットワークノードを含むことができ、又はネットワークノードに含めることができる。
【００４５】
図６に、いくつかの実施形態例による装置１０のブロック図を示す。
【００４６】
装置１０は、ユーザ装置４１０などのユーザ装置を表すことができる。装置１０又はその中の一部は、基地局（例えば、装置４５０）を含む他のネットワークノードに実装することができる。
【００４７】
装置１０は、送信機１４及び受信機１６と通信する少なくとも１つのアンテナ１２を含むことができる。或いは、送信アンテナと受信アンテナとを分離することもできる。装置１０は、送信機及び受信機との間でそれぞれ信号の送受信を行って装置の機能を制御するように構成されたプロセッサ２０を含むこともできる。プロセッサ２０は、導線を介して送信機及び受信機に制御信号をもたらすことによって送信機及び受信機の機能を制御するように構成することができる。同様に、プロセッサ２０は、ディスプレイ又はメモリなどの他の要素にプロセッサ２０を接続する導線を介して制御信号をもたらすことによって装置１０の他の要素を制御するように構成することもできる。例えば、プロセッサ２０は、回路、少なくとも１つのプロセッシングコア、（単複の）デジタルシグナルプロセッサを伴う１又は２以上のマイクロプロセッサ、デジタルシグナルプロセッサを伴わない１又は２以上のプロセッサ、１又は２以上のコプロセッサ、１又は２以上のマルチコアプロセッサ、１又は２以上のコントローラ、処理回路、１又は２以上のコンピュータ、集積回路（例えば、特定用途向け集積回路（ＡＳＩＣ）、フィールドプログラマブルゲートアレイ（ＦＰＧＡ）、及び／又は同様のもの）を含む他の様々な処理要素、又はこれらの何らかの組み合わせを含む様々な方法で具体化することができる。従って、図６には単一のプロセッサとして示しているが、いくつかの実施形態例では、プロセッサ２０が複数のプロセッサ又はプロセッシングコアを含むこともできる。
【００４８】
装置１０は、１又は２以上のエアインターフェイス標準、通信プロトコル、変調タイプ、アクセスタイプ、及び／又は同様のものと共に動作することができる。プロセッサ２０が送受信する信号は、適用可能なセルラーシステムのエアインターフェイス標準、及び／又は以下に限定するわけではないが、Ｗｉ−Ｆｉ、電気電子技術者協会（ＩＥＥＥ）８０２．１１、８０２．１６、８０２．３、ＡＤＳＬ、ＤＯＣＳＩＳ及び／又は同様のものなど無線ローカルアクセスネットワーク（ＷＬＡＮ）技術を含むあらゆる数の異なる有線又は無線ネットワーク技術に従うシグナリング情報を含むことができる。また、これらの信号は、音声データ、ユーザ生成データ、ユーザ要求データ、及び／又は同様のものを含むこともできる。
【００４９】
例えば、装置１０及び／又はその内部セルラーモデムは、様々な第１世代（１Ｇ）通信プロトコル、第２世代（２Ｇ又は２．５Ｇ）通信プロトコル、第３世代（３Ｇ）通信プロトコル、第４世代（４Ｇ）通信プロトコル、第５世代（５Ｇ）通信プロトコル、インターネットプロトコルマルチメディアサブシステム（ＩＭＳ）通信プロトコル（例えば、セッションイニシエーションプロトコル（ＳＩＰ））及び／又は同様のものに従って動作することができる。例えば、装置１０は、２Ｇ無線通信プロトコル（ＩＳ−１３６）、時分割多元接続（ＴＤＭＡ）、グローバルシステムフォーモバイルコミュニケーション（ＧＳＭ）、ＩＳ−９５、符号分割多元接続（ＣＤＭＡ）及び／又は同様のものに従って動作することができる。また、例えば装置１０は、２．５Ｇ無線通信プロトコル汎用パケット無線サービス（ＧＰＲＳ）、拡張データＧＳＭ環境（ＥＤＧＥ）及び／又は同様のものに従って動作することもできる。さらに、例えば装置１０は、ユニバーサルモバイルテレコミュニケーションシステム（ＵＭＴＳ）、符号分割多元接続２０００（ＣＤＭＡ２０００）、広帯域符号分割多元接続（ＷＣＤＭＡ）、時分割同期符号分割多元接続（ＴＤ−ＳＣＤＭＡ）及び／又は同様のものなどの３Ｇ無線通信プロトコルに従って動作することもできる。さらに、装置１０は、ロングタームエボリューション（ＬＴＥ）、進化型ユニバーサル地上無線接続ネットワーク（Ｅ−ＵＴＲＡＮ）及び／又は同様のものなどの３．９Ｇ無線通信プロトコルに従って動作することもできる。また、例えば装置１０は、ＬＴＥ−Ａｄｖａｎｃｅｄなどの４Ｇ無線通信プロトコル、５Ｇ及び／又は同様のもの、及びその後に開発され得る同様の無線通信プロトコルに従って動作することもできる。
【００５０】
プロセッサ２０は、装置１０のオーディオ／ビデオ機能及び論理機能を実装するための回路を含むことができると理解される。例えば、プロセッサ２０は、デジタルシグナルプロセッサ装置、マイクロプロセッサ装置、アナログ−デジタル変換器、デジタル−アナログ変換器、及び／又は同様のものを含むことができる。装置１０の制御機能及び信号処理機能は、これらの装置のそれぞれの能力に従ってこれらの装置間で配分することができる。プロセッサ２０は、内部音声符号器（ＶＣ）２０ａ、内部データモデム（ＤＭ）２０ｂ及び／又は同様のものをさらに含むことができる。さらに、プロセッサ２０は、メモリに記憶できる１又は２以上のソフトウェアプログラムを動作させる機能を含むこともできる。一般に、プロセッサ２０及び記憶されたソフトウェア命令は、装置１０に動作を実行させるように構成することができる。例えば、プロセッサ２０は、ウェブブラウザなどの接続プログラムを動作させることができる。接続プログラムは、装置１０が無線アプリケーションプロトコル、ＷＡＰ、ハイパーテキスト転送プロトコル、ＨＴＴＰ及び／又は同様のものなどのプロトコルに従ってロケーションベースのコンテンツなどのウェブコンテンツを送受信することを可能にすることができる。
【００５１】
装置１０は、例えばプロセッサ２０に動作可能に結合できるイヤホン又はスピーカ２４、リンガー２２、マイク２６、ディスプレイ２８、ユーザ入力インターフェイス及び／又は同様のものを含むユーザインターフェイスを含むこともできる。上述したように、ディスプレイ２８は、ユーザのタッチ及び／又はジェスチャによって選択、値の入力及び／又は同様のことを行うことができるタッチ感知式ディスプレイを含むことができる。プロセッサ２０は、スピーカ２４、リンガー２２、マイク２６、ディスプレイ２８及び／又は同様のものなどのユーザインターフェイスの１又は２以上の要素の少なくともいくつかの機能を制御するように構成されたユーザインターフェイス回路を含むこともできる。プロセッサ２０、及び／又はプロセッサ２０を含むユーザインターフェイス回路は、例えば揮発性メモリ４０、不揮発性メモリ４２及び／又は同様のものなどのプロセッサ２０がアクセスできるメモリに記憶された例えばソフトウェア及び／又はファームウェアなどのコンピュータプログラム命令を通じてユーザインターフェイスの１又は２以上の要素の１又は２以上の機能を制御するように構成することができる。装置１０は、例えば検出可能な出力としての機械的振動を提供する回路などの、モバイル端末に関する様々な回路に給電するためのバッテリを含むことができる。ユーザ入力インターフェイスは、（ディスプレイ２８上に提示される仮想キーボード又は外部的に結合されたキーボードとすることができる）キーパッド３０及び／又はその他の入力装置などの、装置２０によるデータの受信を可能にする装置を含むことができる。
【００５２】
図６に示すように、装置１０は、データを共有及び／又は取得するための１又は２以上の機構を含むこともできる。例えば、装置１０は、短距離無線周波数（ＲＦ）トランシーバ及び／又は質問機６４を含むことができ、従ってＲＦ技術に従う電子装置とデータを共有し、及び／又はこのような装置からデータを取得することができる。装置１０は、赤外線（ＩＲ）トランシーバ６６、Ｂｌｕｅｔｏｏｔｈ（商標）無線技術を使用して動作するＢｌｕｅｔｏｏｔｈ（商標）（ＢＴ）トランシーバ６８、無線ユニバーサルシリアルバス（ＵＳＢ）トランシーバ７０、Ｂｌｕｅｔｏｏｔｈ（商標）低いエネルギートランシーバ、Ｚｉｇｂｅｅトランシーバ、ＡＮＴトランシーバ、セルラー装置間トランシーバ、無線ローカルエリアリンクトランシーバなどの他の短距離トランシーバ、及び／又はその他のいずれかの短距離無線技術を含むことができる。装置１０、とりわけ短距離トランシーバは、例えば１０メートル以内などの装置の近傍内の電子装置との間でデータを送信及び／又は受信することができる。Ｗｉ−Ｆｉ又は無線ローカルエリアネットワークモデムを含む装置１０は、６ＬｏＷｐａｎ、Ｗｉ−Ｆｉ、Ｗｉ−Ｆｉ低電力、ＩＥＥＥ８０２．１１技術、ＩＥＥＥ８０２．１５技術、ＩＥＥＥ８０２．１６技術などのＷＬＡＮ技術及び／又は同様のものを含む様々な無線ネットワーク技術に従って、電子装置との間でデータを送信及び／又は受信することができる。
【００５３】
装置１０は、モバイル加入者に関連する情報要素を記憶できる加入者識別モジュール（ＳＩＭ）３８、リムーバブルユーザアイデンティティモジュール（Ｒ−ＵＩＭ）、ｅＵＩＣＣ、ＵＩＣＣ及び／又は同様のものなどのメモリを含むことができる。装置１０は、ＳＩＭに加えて他の取り外し可能な及び／又は固定メモリを含むこともできる。装置１０は、揮発性メモリ４０及び／又は不揮発性メモリ４２を含むことができる。例えば、揮発性メモリ４０は、ダイナミック及び／又はスタティックＲＡＭ、オンチップ又はオフチップキャッシュメモリ及び／又は同様のものを含むランダムアクセスメモリ（ＲＡＭ）を含むことができる。埋め込み型及び／又は取り外し可能とすることができる不揮発性メモリ４２は、例えばリードオンリメモリ、フラッシュメモリ、例えばハードディスク、フロッピーディスクドライブ、磁気テープなどの磁気記憶装置、光ディスクドライブ及び／又は媒体、不揮発性ランダムアクセスメモリ（ＮＶＲＡＭ）、及び／又は同様のものを含むことができる。不揮発性メモリ４２は、揮発性メモリ４０と同様に、データを一時的に記憶するためのキャッシュエリアを含むことができる。揮発性及び／又は不揮発性メモリの少なくとも一部は、プロセッサ２０に埋め込むことができる。メモリは、プロセス５００の１又は２以上の態様を含む本明細書に開示する動作を装置が実行するために使用できる１又は２以上のソフトウェアプログラム、命令、複数の情報、データ及び／又は同様のものを記憶することができる。これとは別に、又はこれに加えて、装置は、基地局／ＷＬＡＮアクセスポイント及びＵＥを含むネットワークノードに関して本明細書に開示する動作を引き起こすように構成することもできる。
【００５４】
メモリは、装置１０を一意的に識別できる国際移動体装置識別番号（ＩＭＥＩ）コードなどの識別子を含むことができる。メモリは、装置１０を一意的に識別できる国際移動体装置識別番号（ＩＭＥＩ）コードなどの識別子を含むことができる。この実施形態例では、プロセッサ２０を、メモリ４０及び／又は４２に記憶されたコンピュータコードを使用して、基地局及びＵＥに関して本明細書に開示する動作（例えば、プロセス５００及び／又は他の動作）をもたらすように構成することができる。
【００５５】
本明細書に開示する実施形態の一部は、ソフトウェア、ハードウェア、アプリケーションロジック、又はこれらの組み合わせで実装することができる。ソフトウェア、アプリケーションロジック及び／又はハードウェアは、例えばメモリ４０、制御装置２０又は電子部品上に存在することができる。いくつかの実施形態例では、アプリケーションロジック、ソフトウェア又は命令セットが、様々な従来のコンピュータ可読媒体のうちのいずれか１つに維持される。本文書の文脈における「コンピュータ可読媒体」は、図６に一例を示すコンピュータ又はデータプロセッサ回路などの命令実行システム、装置又はデバイスによって、又はこれらに関連して使用される命令を含み、記憶し、伝達し、伝播し、又は伝送することができるいずれかの非一時的媒体とすることができ、コンピュータ可読媒体は、コンピュータなどの命令実行システム、装置又はデバイスによって、又はこれらに関連して使用される命令を含み又は記憶することができるいずれかの媒体とすることができる非一時的コンピュータ可読記憶媒体を含むことができる。
【００５６】
以下では、５Ｇ新無線におけるビーム掃引に関連するいくつかのさらなる説明を行う。ＵＥは、ＳＳ／ＰＢＣＨブロック（ＳＳＢ）を検出することを通じて、セルに対する時間及び周波数同期を取得することができる（そしてセルＩＤ（Ｃｅｌｌ−ＩＤ）を取得する）。ＳＳＢは、一次同期信号（ＰＳＳ：Ｐｒｉｍａｒｙ  Ｓｙｎｃｈｒｏｎｉｓａｔｉｏｎ  Ｓｉｇｎａｌ）、２次同期信号（ＳＳＳ：Ｓｅｃｏｎｄａｒｙ  Ｓｙｎｃｈｒｏｎｉｚａｔｉｏｎ  Ｓｉｇｎａｌ）及び一次ブロードキャストチャネル（ＰＢＣＨ：Ｐｒｉｍａｒｙ  Ｂｒｏａｄｃａｓｔ  Ｃｈａｎｎｅｌ）、並びにＰＢＣＨに関連する復調基準信号（ＤＭＲＳ：Ｄｅｍｏｄｕｌａｔｉｏｎ  Ｒｅｆｅｒｅｎｃｅ  Ｓｉｇｎａｌｓ）を含むことができる（例えば、ＴＳ３８．２１３、セクション４．１を参照）。ＰＳＳ及びＳＳＳは、シーケンス初期化（ｓｅｑｕｅｎｃｅ  ｉｎｉｔｉａｌｉｚａｔｉｏｎ）を通じてセルＩＤを保持することができ、ＰＢＣＨは、ＤＭＲＳ、ＳＳＢインデックス及び／又は同様のものを含むマスター情報ブロック（ＭＩＢ：Ｍａｓｔｅｒ  Ｉｎｆｏｒｍａｔｉｏｎ  Ｂｌｏｃｋ）を保持することができる。ビームフォーミングをサポートするために、ＳＳＢを異なる空間方向に時分割方式で送信することができる。図７に、３０ｋＨｚにおける特定の使用例のための半フレーム（５ｍｓ）内の候補位置を示す（ＴＳ３８．２１３のＣａｓｅ  Ｂを参照）。
【００５７】
半フレームパターンで送信されるＳＳＢのパターンは、一定期間（例えば、５、１０、２０、４０、８０又は１６０ｍｓ）で繰り返される。これに対応して、システム情報ブロック１（ＳＩＢ１）では、ＵＥが、ＭＩＢ（「ｐｄｃｃｈ−ｃｏｎｆｉｇＳＩＢ１」）を介して、ＳＩＢ１をスケジュールするＴｙｐｅ０−ＰＤＣＣＨのモニタリングパターンで構成される。この構成は、シンボル単位での制御リソースセット（ＣＯＲＥＳＥＴ：Ｃｏｎｔｒｏｌ  Ｒｅｓｏｕｒｃｅ  Ｓｅｔ）の長さ（例えば、１、２又は３）、隣接リソースブロックの数（例えば、２４、４８又は９６）、（ＳＳＢ位置に対する）ＣＯＲＥＳＥＴの周波数位置、並びにモニタリングパターンの使用パターン及びパラメータ化をＵＥに与える。例えば、モニタリング機会が２０ｍｓ毎に発生するＳＳ／ＰＢＣＨ及びＣＯＲＥＳＥＴモニタリングパターン１では、（機会が発生する）無線フレームの開始からのオフセットがＵＥに与えられ、シフト（Ｍ）は、各ＳＳＢに時間的に対応するモニタリング機会、及びスロット当たりの可能なモニタリング機会の数を加える。ＵＥは、検出されたＳＳＢインデックス、ＭＩＢによって提供された情報に基づいて、各ＳＳＢインデックスに対応するモニタリング機会（探索空間）を決定することができる。図８に、探索空間位置（例えば、ページング機会）の１つの実現を示す。
【００５８】
以下に示す特許請求の範囲、その解釈又は応用を決して限定するわけではなく、本明細書に開示する１又は２以上の実施形態例の技術的効果は、ページの高度モニタリングとすることができる。
【００５９】
本明細書で説明した主題は、所望の構成に応じてシステム、装置、方法及び／又は物品に具体化することができる。例えば、基地局及びユーザ装置（或いはその１又は２以上の内部コンポーネント）及び／又は本明細書で説明したプロセスは、プロセッサ実行型プログラムコード、特定用途向け集積回路（ＡＳＩＣ）、デジタルシグナルプロセッサ（ＤＳＰ）、埋め込みプロセッサ、フィールドプログラマブルゲートアレイ（ＦＰＧＡ）、及び／又はこれらの組み合わせのうちの１つ又は２つ以上を使用して実装することができる。これらの様々な実装は、記憶システム、少なくとも１つの入力装置及び少なくとも１つの出力装置との間でデータ及び命令を送受信するように結合された、専用又は汎用とすることができる少なくとも１つのプログラマブルプロセッサを含むプログラマブルシステム上での実行及び／又は解釈が可能な１又は２以上のコンピュータプログラムでの実装を含むことができる。これらの（プログラム、ソフトウェア、ソフトウェアアプリケーション、アプリケーション、コンポーネント、プログラムコード又はコードとしても知られている）コンピュータプログラムは、プログラマブルプロセッサのための機械命令を含み、高水準手続き型及び／又はオブジェクト指向型プログラム言語、及び／又はアセンブリ／機械語で実装することができる。本明細書で使用する「コンピュータ可読媒体」という用語は、機械命令を受け取る機械可読媒体を含むプログラマブルプロセッサに機械命令及び／又はデータを提供するために使用されるいずれかのコンピュータプログラム製品、機械可読媒体、コンピュータ可読記憶媒体、装置及び／又はデバイス（例えば、磁気ディスク、光ディスク、メモリ、プログラマブルロジックデバイス（ＰＬＤ））を意味する。同様に、本明細書では、プロセッサと、プロセッサに結合されたメモリとを含むことができるシステムについても説明する。メモリは、本明細書で説明した１又は２以上の動作をプロセッサに実行させる１又は２以上のプログラムを含むことができる。
【００６０】
上記では、わずかな変形形態について詳細に説明したが、他の修正又は追加も可能である。具体的には、本明細書に示した特徴及び／又は変形形態に加えて、さらなる特徴及び／又は変形形態を提供することもできる。さらに、上述した実装は、開示した特徴の様々な組み合わせ及び部分的組み合わせ、及び／又は上記で開示した複数のさらなる特徴の組み合わせ及び部分的組み合わせに関することもできる。以下の特許請求の範囲には他の実施形態を含めることもできる。
【００６１】
望ましい場合には、本明細書で説明した異なる機能を異なる順序で及び／又は互いに同時に実行することもできる。さらに、望ましい場合には、上述した機能のうちの１つ又は２つ以上を任意とし、又は組み合わせることもできる。独立請求項には、実施形態の一部の様々な態様を示すが、実施形態の一部の他の態様は、特許請求の範囲に明示する組み合わせだけでなく、説明した実施形態の特徴及び／又は独立請求項の特徴を含む従属請求項の他の組み合わせも含む。また、上記では実施形態例について説明したが、これらの説明を限定的な意味で捉えるべきではない。むしろ、添付の特許請求の範囲に定める実施形態の一部の範囲から逸脱することなく形成できる複数の変形形態及び修正形態が存在する。以下の特許請求の範囲には他の実施形態を含めることもできる。「〜に基づく（ｂａｓｅｄ  ｏｎ）」という用語は、「少なくとも〜に基づく（ｂａｓｅｄ  ｏｎ  ａｔ  ｌｅａｓｔ）」を含む。「〜などの（ｓｕｃｈ  ａｓ）」という表現の使用は、別途指示していない限り「例えば〜などの（ｓｕｃｈ  ａｓ  ｆｏｒ  ｅｘａｍｐｌｅ）」を意味する。
【図１】
2021523633.tif 000008
【図２】
2021523633.tif 000009
【図３】
2021523633.tif 000010
【図４】
2021523633.tif 000011
【図５】
2021523633.tif 000012
【図６】
2021523633.tif 000013
【図７】
2021523633.tif 000014
【図８】
2021523633.tif 000015
【国際調査報告】
2021523633.tif 000016
2021523633.tif 000017
2021523633.tif 000018